(57)【要約】【課題】肯定又は否定で回答する複数の質問に対し、被験者を質問文の主語と想定して、被験者本人または被験者以外の他人が回答した結果に基づいて性格診断を行うシステムおよび方法を提供する。【解決手段】人間の自我状態を複数の尺度に分け、各尺度に対応した質問文であってＹｅｓかＮｏで答えるものを尺度ごとに同じ個数だけ用意し、Ｙｅｓで回答した質問文の個数が最多の尺度、二番目に多い尺度、および最少の尺度の組合せに基づく性格診断を、性格診断用サイトを管理するコンピュータ２と接続した携帯電話１、および前記の質問文が印刷されたカードツール３を用いて行う。あるいは、各尺度別Ｙｅｓ回答の個数の多寡を考慮した場合分けによって性格診断を行う。【選択図】図１
2007226531.tif 000002
【特許請求の範囲】
【請求項１】
性格診断用カードツールと、インターネットを介して接続する回答者端末と管理コンピュータからなる性格診断システムであって、
前記管理コンピュータは、性格診断を実施する性格診断サイトを管理する機能を有し、
前記性格診断用カードツールは、
人間の自我状態を３種類以上の複数の尺度に分けたうえで、尺度毎に同数の質問カードと１枚のサイト誘導カードを有し、
各質問カードには、Ｙｅｓ（肯定）かＮｏ（否定）のいずれかで答える質問文が記載され、
各サイト誘導カードには、該サイト誘導カードが属する第１尺度を除く４つの第２尺度に対応したバーコードが記載され、各バーコードには、第１尺度と第２尺度以外の３つの尺度と対応づけたＵＲＬが書き込まれ、
回答者が行ったすべての前記質問カードへの回答の結果、Ｙｅｓで回答された質問カードの枚数が最多の第１尺度に対応するサイト誘導カードに記載された前記バーコードから、Ｙｅｓで回答された質問カードの枚数が２番目に多い第２尺度に対応するバーコードが回答者端末を用いて読み込まれ、該回答者端末の画面に表示されたＵＲＬ一覧から、Ｙｅｓで回答された質問カードの枚数が最少の尺度に対応するＵＲＬが指定されると、
前記回答者端末は、前記管理コンピュータが管理する該ＵＲＬで特定される前記性格診断サイトにアクセスし、Ｙｅｓで回答された質問カードの枚数が最多の尺度、二番目に多い尺度、および最少の尺度の組合せに基づく性格診断結果を前記管理コンピュータから受信することを特徴とする性格診断システム。
【請求項２】
性格診断用カードツールと、インターネットを介して接続する回答者端末と管理コンピュータからなる性格診断システムであって、
前記管理コンピュータは、性格診断を実施する性格診断サイトを管理する機能を有し、
前記性格診断用カードツールは、
人間の自我状態を３種類以上の複数の尺度に分けたうえで、各尺度に同数の質問カードを含み、各質問カードには、Ｙｅｓ（肯定）かＮｏ（否定）のいずれかで答える質問文が記載されている一方、
被験者本人は回答者端末から前記管理コンピュータにアクセスし、各被験者に固有の被験者識別情報の発行を受け、
前記回答者端末は、被験者本人によるＹｅｓで回答された質問カードの尺度別枚数を、前記被験者識別情報とともに、前記管理コンピュータに送信し、被験者本人による回答に基づく性格診断結果を前記管理コンピュータから受信する一方、
前記被験者識別情報を知らされた他人によって、前記被験者を想定してＹｅｓで回答された質問カードの尺度別枚数が、前記被験者識別情報とともに前記管理コンピュータに送信されると、前記被験者本人の回答者端末は、該他人による回答に基づく性格診断結果を前記管理コンピュータから受信することを特徴とする性格診断システム。
【請求項３】
尺度ごとのＹｅｓで回答された質問カードの枚数に基づく性格診断のための場合分け総数を、所定範囲内に絞り込むことを特徴とする請求項２に記載の性格診断システム。
【請求項４】
尺度ごとのＹｅｓで回答された質問カードの枚数の多寡に応じて、各尺度を３つのランクに振り分け、枚数が多ければＡ（高）、少なければＣ（低）、それ以外をＢ（中）とし、ＡランクおよびＣランクに着目して性格診断をすることを特徴とする請求項３に記載の性格診断システム。
【請求項５】
前記管理コンピュータは、被験者本人の行った回答に基づく性格診断結果と他人の行った回答に基づく性格診断結果の両者を、前記被験者の回答者端末の画面に表示させることを特徴とする請求項２〜請求項４のいずれか１に記載の性格診断システム。
【請求項６】
被験者本人以外の複数の他人の回答に基づく性格診断結果の平均値を、本人による性格診断結果と対比させることを特徴とする請求項５に記載の性格診断システム。
【請求項７】
前記尺度は５種類あり、各尺度はエゴグラムの自我状態である“ＣＰ”、“ＮＰ”、“Ａ”、“ＦＣ”および“ＡＣ”のそれぞれに類似し、各尺度に属する質問カードは５枚であることを特徴とする請求項１〜６のいずれか１に記載の性格診断システム。
【請求項８】
前記質問カードに記載された質問文の文字数は１０文字程度であることを特徴とする請求項１〜７のいずれか１に記載の性格診断システム。
【請求項９】
前記質問カードの質問文が記載された面の裏面には、その質問カードが属する尺度の特徴を表すイラストが描かれていることを特徴とする請求項１〜８のいずれか１に記載の性格診断システム。
【請求項１０】
Ｙｅｓで答えることのできる前記質問カードの枚数を、所定範囲内に制限することを特徴とする請求項１〜請求項９のいずれか１に記載の性格診断システム。
【請求項１１】
インターネットを介して接続する回答者端末と管理コンピュータからなる性格診断システムであって、
被験者本人は回答者端末から管理コンピュータにアクセスし、各被験者に固有の被験者識別情報の発行を受け、
前記回答者端末は、前記管理コンピュータから送信されてくる質問文に対し、被験者本人によるＹｅｓ（肯定）かＮｏ（否定）のいずれかで回答した結果と前記被験者識別情報とを、前記管理コンピュータに送信し、該被験者本人の回答結果に基づく性格診断結果を前記管理コンピュータから受信するとともに、
前記被験者識別情報を知らされた他人の回答者端末が、前記管理コンピュータに接続し、送信されてくる質問文に対して、前記被験者を想定してＹｅｓかＮｏのいずれかで回答した結果を、前記被験者識別情報とともに前記管理コンピュータに送信すると、前記管理コンピュータは、該他人の回答結果に基づく性格診断結果を、被験者本人の回答者端末に送信することを特徴とする性格診断システム。
【請求項１２】
被験者本人および他人の回答結果に基づく性格診断結果の両者が前記管理コンピュータから前記被験者の回答者端末に送信される場合、送信されるデータには、本人と他人とでは異なる回答をした質問文が含まれることを特徴とする請求項１１に記載の性格診断システム。
【請求項１３】
人間の自我状態を複数の尺度に分け、各尺度に対応した質問文であってＹｅｓ（肯定）かＮｏ（否定）で答えるものを尺度ごとに同じ個数だけ用意し、
Ｙｅｓの回答が最多の質問文の属する尺度、二番目にＹｅｓの回答が多い質問文の属する尺度、およびＹｅｓの回答が最少の質問文の属する尺度の組合せに基づく性格診断を行うことを特徴とする性格診断方法。
【請求項１４】
被験者は、回答者端末から、性格診断システムが搭載された管理コンピュータにアクセスし、被験者識別情報の発行を受けておくとともに、
人間の自我状態を示す複数の尺度に対応した質問文であって、尺度ごとに同じ個数だけ用意されたものに対し、Ｙｅｓ（肯定）かＮｏ（否定）で回答した結果を、前記被験者識別情報とともに、被験者の回答者端末から管理コンピュータに送信する一方、
前記被験者識別情報を知らされた他人が、前記被験者を想定して各質問文にＹｅｓかＮｏで回答した結果が、前記被験者識別情報とともに前記管理コンピュータに送信されると、
被験者本人の回答結果に基づく性格診断結果および前記他人の回答結果に基づく性格診断結果の両者が、前記管理コンピュータから被験者本人の回答者端末に送信されることを特徴とする性格診断方法。
【発明の詳細な説明】
【技術分野】
【０００１】
肯定又は否定で回答する質問を複数個用意し、被験者を質問文の主語と想定して、被験者本人または被験者以外の他人が回答した結果に基づいて性格診断結果を得る性格診断システムおよび性格診断方法に関する。
【背景技術】
【０００２】
人間は、一人では生きていけず、好むと好まざるとにかかわらず人と人との間で生活していくものである。何らかの関わりあいを持った人と、常に円滑な付き合いができるとはかぎらない。学校や職場で、友人や同僚から、嫌われたり、無視されたりすることもある。就職活動において、面接で落とされたり、営業担当の会社員ならば、顧客を獲得できなかったりすることがある。このような場合、たいていの人間は考え込む。どこに原因があるのか、つきとめようとする。その場合、多くの人間は、自分の性格に起因するのではないか、と悩む。自分とは一体どのような性格なのか、自分とは、どのような人間と他人から見られているのか、知りたいと思う。
【０００３】
また、近年のインターネットやテレビゲームの普及などに伴い、生身の人間とのつきあいを苦手とする若年者が多い。他人との連絡手段として、電子メールが手紙や電話を凌駕するようになっているのも、こうした傾向に拍車をかけている。このような状況では、コミュニケーション能力の改善が多くの人にとって課題となる。そのため、正しい自己理解、つまり、冷静に自分の性格を認識することが求められる。
【０００４】
自分の性格を知りたい、という願望に応えるものとして、例えば、非特許文献１に掲げたものがある。これは、エゴグラム、すなわち、５つの自我状態の高低をグラフにあらわしたものを、所定の質問紙を用いて被験者本人に作成させるものである。
自我状態には“ＣＰ，ＮＰ，Ａ、ＦＣ，ＡＣ”の５種類があり、それぞれを高・中・低の３段階に分け、そのバランスから被験者の性格を判断し、医学、臨床心理などの診療関係に活用しようというのが、非特許文献１の目的とするところである。
【０００５】
【特許文献１】特開平９−３２７５７６号公報
【非特許文献１】東京大学医学部心療内科ＴＥＧ研究会編  「新版  ＴＥＧ（登録商標）」株式会社  金子書房
【発明の開示】
【発明が解決しようとする課題】
【０００６】
非特許文献１は、医療分野などの専門家に適したものではある。しかし、専門家でない者にとっては、次のような点で解決すべき課題がある。
まず、質問の個数が５０もあり、多すぎる。１分以内に全問読んで回答することは不可能に近い。本出願人は、約２０００名の対面調査を２００２年〜２００５年にかけて実施した結果、平均的な高校卒業程度の若者は概ね１分以上要する検査を実施することに抵抗を感じるが、３０秒以内であれば、実施を拒否することはほとんどない、という結論を得た。
次に、質問文が難解であり、読んで瞬時に、“はい、いいえ、どちらでもない”のいずれかの判断をすることは難しい。前述の対面調査において、１０文字以上の文章を瞬時に理解することは難しいことも判明している。
【０００７】
非特許文献１には、質問紙が添付されているが、この質問紙は、いかにも性格診断テストといった趣の装丁をしている。しかも、質問紙に記された“ＣＰ，ＮＰ，Ａ，ＦＣ，ＡＣ”という自我状態の尺度の意義が、専門家でない者には理解が困難である。これらは、権威者に対する被験者という立場を想起させ、自分の性格を一方的に診断されるという心理的抵抗を生みやすい。
しかも、回答結果の場合分けは２４３通りもあり、各場合の解釈が難しい。
さらに、非特許文献１では、回答を直接質問紙に書き込むので、繰り返し使用するのには適さないという問題もある。
【０００８】
このような問題点に鑑み、本発明は、気軽に、楽しく、しかも、繰り返し実施できること、診断結果の解釈を容易にすることを目的とする。
さらに、本発明では、他人の眼には、自分の性格がどのように映るのかを容易に知ることができる仕組みを提供することも目的とする。
【０００９】
ところで、性格診断とは異なるが、特許文献１には、複数枚のカードからなるカード一式を占いに利用する発明が記載されている。書き込みが不要なので、繰り返し使えるし、携帯にも便利ではあるが、分析が容易ではない、という問題点がある。
そのため、本発明は、カードを用いることにした場合も、分析の手間を極力削減することも目的とする。
【課題を解決するための手段】
【００１０】
前記の目的を達するために、請求項１に記載の発明は、性格診断用カードツールと、インターネットを介して接続する回答者端末と管理コンピュータからなる性格診断システムであって、前記管理コンピュータは、性格診断を実施する性格診断サイトを管理する機能を有し、前記性格診断用カードツールは、人間の自我状態を３種類以上の複数の尺度に分けたうえで、尺度毎に同数の質問カードと１枚のサイト誘導カードを有し、各質問カードには、Ｙｅｓ（肯定）かＮｏ（否定）のいずれかで答える質問文が記載され、各サイト誘導カードには、該サイト誘導カードが属する第１尺度を除く４つの第２尺度に対応したバーコードが記載され、各バーコードには、第１尺度と第２尺度以外の３つの尺度と対応づけたＵＲＬが書き込まれ、回答者が行ったすべての前記質問カードへの回答の結果、Ｙｅｓで回答された質問カードの枚数が最多の第１尺度に対応するサイト誘導カードに記載された前記バーコードから、Ｙｅｓで回答された質問カードの枚数が２番目に多い第２尺度に対応するバーコードが回答者端末を用いて読み込まれ、該回答者端末の画面に表示されたＵＲＬ一覧から、Ｙｅｓで回答された質問カードの枚数が最少の尺度に対応するＵＲＬが指定されると、
前記回答者端末は、前記管理コンピュータが管理する該ＵＲＬで特定される前記性格診断サイトにアクセスし、Ｙｅｓで回答された質問カードの枚数が最多の尺度、二番目に多い尺度、および最少の尺度の組合せに基づく性格診断結果を前記管理コンピュータから受信することを特徴とする。
【００１１】
これにより、被験者は、質問にＹｅｓかＮｏで答え、尺度別にＹｅｓの個数を数え、その結果を、携帯電話を使って、所定のサイトに送信するだけで、性格診断結果が得られる。したがって、小学校高学年程度の子供でも、用いることができる。
また、３種類以上の複数（通常は、５種類）ある尺度のうち、Ｙｅｓの個数に応じて、３種類の尺度のみを判断対象とするので、回答結果に対する分析の場合分けの数を減らすことができる。
【００１２】
また、前記の発明の目的を達するために、請求項２に記載の発明は、性格診断用カードツールと、インターネットを介して接続する回答者端末と管理コンピュータからなる性格診断システムであって、前記管理コンピュータは、性格診断を実施する性格診断サイトを管理する機能を有し、前記性格診断用カードツールは、人間の自我状態を３種類以上の複数の尺度に分けたうえで、各尺度に同数の質問カードを含み、各質問カードには、Ｙｅｓ（肯定）かＮｏ（否定）のいずれかで答える質問文が記載されている一方、被験者本人は回答者端末から前記管理コンピュータにアクセスし、各被験者に固有の被験者識別情報の発行を受け、前記回答者端末は、被験者本人によるＹｅｓで回答された質問カードの尺度別枚数を、前記被験者識別情報とともに、前記管理コンピュータに送信し、被験者本人による回答に基づく性格診断結果を前記管理コンピュータから受信する一方、前記被験者識別情報を知らされた他人によって、前記被験者を想定してＹｅｓで回答された質問カードの尺度別枚数が、前記被験者識別情報とともに前記管理コンピュータに送信されると、前記被験者本人の回答者端末は、該他人による回答に基づく性格診断結果を前記管理コンピュータから受信することを特徴とする。
【００１３】
これにより、他人が自分をどう見ているか、自己評価と対比させて容易に知ることができる。
【００１４】
請求項２に記載の発明において、尺度ごとのＹｅｓで回答された質問カードの枚数に基づく性格診断のための場合分け総数を、所定範囲内に絞り込んでもよい。この場合、尺度ごとのＹｅｓで回答された質問カードの枚数の多寡に応じて、各尺度を３つのランクに振り分け、枚数が多ければＡ（高）、少なければＣ（低）、それ以外をＢ（中）とし、ＡランクおよびＣランクに着目して性格診断をしてもよい。
【００１５】
これにより、極めて特異な性格の人や、質問に考えずに答えるような不真面目な被験者を除外し、意味のある性格診断結果を提供できる。
また、回答結果に基づく性格診断のための分類をいくら細分化しても、専門家でない人間には解釈が困難なだけである。そのため、性格診断のための分類の場合分けの数を減らし、解釈の容易化を図るものである。
【００１６】
さらに、請求項２に記載の発明において、被験者本人の行った回答に基づく性格診断結果と他人の行った回答に基づく性格診断結果の両者を、前記被験者の回答者端末の画面に表示させてもよく、複数の他人の回答に基づく性格診断結果の平均値を本人による性格診断結果と対比させてもよい。
【００１７】
これにより、自分の性格に対する自己評価と他人からの評価とのギャップが一目瞭然となる。さらに、複数の他人による平均値が得られるので、他人による評価も、より客観的になる。なぜなら、本人と相性のよい人、あるいは、本人に憎悪や嫉妬といった悪感情を持っている人を評価者とすると、判断に偏りが生じがちであるので、複数の他人による平均値を求めることによって偏りを消去できる。その結果、信頼できる他人からの評価が得られる。
【００１８】
前記の性格診断用カードツールを使用する発明において、前記尺度は５種類あり、各尺度はエゴグラムの自我状態である“ＣＰ”、“ＮＰ”、“Ａ”、“ＦＣ”および“ＡＣ”のそれぞれに類似し、各尺度に属する質問カードの枚数を５枚としてもよい。
これにより、経験的に妥当な性格診断ができる。なぜなら、“ＣＰ”、“ＮＰ”、“Ａ”、“ＦＣ”および“ＡＣ”を尺度とするエゴグラムは、医療現場での使用が定着しているからである。また、質問カードの枚数が多すぎると、被験者に負担を感じさせ、やってみる意欲を喪失させかねない。なお、下記の実施形態におけるキャラクタ第一型は、“ＣＰ”に類似する。同様に、キャラクタ第二型以降は、順に“ＮＰ”、“Ａ”、“ＦＣ”、“ＡＣ”に類似する。
【００１９】
また、前記質問カードに記載された質問文の文字数は１０文字程度とし、質問記載面の裏面には、その質問カードが属する尺度の特徴を表すイラストを描いてもよい。
これにより、質問を読んで瞬時に回答することも可能であり、全問を回答する時間が短くてすむ。また、イラストの描かれている面だけを眺めても、性格のおおよそのところが判断できる。
【００２０】
さらに、Ｙｅｓで答えることのできる前記質問カードの枚数を、所定範囲内に制限してもよい。
これにより、特異な性格を排除できるので、意味のある性格診断をなしうる。
ちなみに、全部の質問に対してＹｅｓあるいはＮｏと答える人はきわめて稀である。本出願人が約２０００人を対象に調査を試みたところ、このような極端な回答をする人は皆無であった。
【００２１】
前記の目的を達するためには、次のような、性格診断用カードツールを用いない発明であってもよい。すなわち、インターネットを介して接続する回答者端末と管理コンピュータからなる性格診断システムであって、被験者本人は回答者端末から管理コンピュータにアクセスし、各被験者に固有の被験者識別情報の発行を受け、前記回答者端末は、前記管理コンピュータから送信されてくる質問文に対し、被験者本人によるＹｅｓ（肯定）かＮｏ（否定）のいずれかで回答した結果と前記被験者識別情報とを前記管理コンピュータに送信し、該被験者本人の回答結果に基づく性格診断結果を前記管理コンピュータから受信するとともに、前記被験者識別情報を知らされた他人の回答者端末が、前記管理コンピュータに接続し、送信されてくる質問文に対して、前記被験者を想定してＹｅｓかＮｏのいずれかで回答した結果を、前記被験者識別情報とともに前記管理コンピュータに送信すると、前記管理コンピュータは、該他人の回答結果に基づく性格診断結果を、被験者本人の回答者端末に送信することを特徴とする発明でもよい。
また、本人および他人の回答結果に基づく性格診断結果の両者が前記管理コンピュータから前記被験者の回答者端末に送信される場合、送信されるデータには、本人と他人とでは異なる回答をした質問文が含まれてもよい。
【００２２】
これにより、自分の性格に対する自己評価と他人による評価とのギャップとが詳細になる。つまり、同一尺度に属するＹｅｓの回答数が同じでも、Ｙｅｓと答えた質問文の内容に違いがあれば、その違いを手掛かりとして一層精緻な分析ができることになる。
【発明の効果】
【００２３】
本発明によれば、使用も分析も容易であって、幅広い年齢層に利用されうる。
たいていの人が日常的に携帯する携帯電話と、衣服のポケットに入れられるほど携帯性に富むトランプ類似の形態をしたカードツールがあれば、いつでもどこでも性格診断ができる。
また、書き込み不要なので、何度でも繰り返し実施できる。
さらに、他人が自分のことを、どのように見ているかを容易に知ることができる。
【発明を実施するための最良の形態】
【００２４】
〔第１の実施形態〕
図１に、この実施形態のシステムの全体構成を示す。
本発明では、自分あるいは他人の性格を診断するために質問への回答をする者（以下、「回答者」という）は、回答者端末１を持つことが前提である。回答者端末１とは、携帯電話でもＰＤＡでもパソコンでもよく、インターネット等の有線・無線の通信回線Ｎを介して、管理コンピュータ２にアクセスできるものであればよい。回答者端末１の代表的なものとして携帯電話があるので、以下の説明では、「回答者端末１」という代わりに「携帯電話１」と表現する。また、第１の実施形態では、携帯電話１はバーコード読み取り機能を有していることが前提である。
【００２５】
この第１実施形態では、各回答者が、性格診断用カードツール３を持っていることを前提とする。
性格診断用カードツール３は、複数枚の質問カード４と、複数枚のサイト誘導カード５からなる。回答者は、質問カード４を使って得た結果を、サイト誘導カード５に印刷されたバーコードを携帯電話１に読み込ませることにより、管理コンピュータ２に送信し、管理コンピュータ２が性格診断結果を表示した文章や図などを携帯電話１に返信する。
【００２６】
次に、質問カード４とサイト誘導カード５について、詳しく説明する。
図２は、性格診断用カードツール３に含まれる全カードの一覧表である。
性格診断用カードツール３は、尺度を「キャラクタ第一型」〜「キャラクタ第五型」の５種類に分類している。各種類につき、質問カード４が５枚、サイト誘導カード５が１枚含まれている。
【００２７】
質問カード４の一方の面には、図３のように、質問文が記され、他方の面には、図４のようなイラストが描かれている。
ここで、質問文は、いずれも１０文字程度の平易な文にすることが望ましい。
また、イラストは、該当する尺度を直感させるものが望ましい。Ｙｅｓと回答したカードのイラストと、その枚数を眺めるだけで、性格のおおよそが推測できるようにするためである。
【００２８】
これらの質問カード４に記された質問文に対しては、ＹｅｓかＮｏで答えることをルールとする。図２の例では、質問文が合計２５個あるが、Ｙｅｓで答える質問カード４の枚数合計を、例えば１３枚〜１８枚といったように強制的に制限することが望ましい。全部をＹｅｓあるいは全部をＮｏで答える人は極めて特異な人であるか、質問に対し真面目に回答していない人であると考えられる。このような人を対象に性格診断を行っても意義はない。そのため、Ｙｅｓで回答する枚数を制限することが適当である。
【００２９】
質問カード４を、ＹｅｓかＮｏに振り分けた上で、Ｙｅｓと回答した質問カード４の質問文記載面を下に向けると、イラストが描かれた裏面が上になる。このとき、イラストを手がかりにカウントすれば、尺度毎のＹｅｓで回答したカード枚数を迅速に、しかも楽しみながら数えられる。
【００３０】
次に、サイト誘導カード５について説明する。
図５は、尺度「キャラクタ第一型」に属するサイト誘導カード５である。これは、「キャラクタ第一型」という尺度に属する質問文にＹｅｓと答えた枚数が他の尺度よりも多い場合に使用される。なお、請求項１にいう第１尺度とは、該サイト誘導カードが属する尺度のことなので、図５の例では、「キャラクタ第一型」が第１尺度である。
「キャラクタ第一型」以外の４つの尺度（「キャラクタ第二型」〜「キャラクタ第五型」）に対応したバーコード６が１つずつ記されている。なお、これらの第１尺度以外の４つの尺度が、請求項１にいう第２尺度である。
各バーコード６には、第１尺度と第２尺度を除いた３つの尺度に対応したＵＲＬが書き込まれている。図５の例では、第１尺度「キャラクタ第一型」のサイト誘導カード５に記載の４つの第２尺度から「キャラクタ第二型」を選択すると、残る尺度は、「キャラクタ第三型」、「キャラクタ第四型」と「キャラクタ第五型」の３つであり、これら尺度のそれぞれに対応したＵＲＬが携帯電話１の画面に表示される。なお、バーコードの種類は、一次元バーコードでも二次元バーコードでもよく、特に限定しない。
要は、サイト誘導カード５のＵＲＬに関する情報を携帯電話１が読み取って、管理コンピュータ２が管理する適切な性格診断サイトへ誘導されればよい。
【００３１】
続いて、管理コンピュータ２について、図６に示すブロック図を参照しながら説明する。
管理コンピュータ２は、通信Ｉ／Ｆ部７、制御部８、記憶部９を備える。
記憶部９には、性格診断結果記憶部１０、Ｗｅｂページデータ記憶部１１を含む。性格診断結果記憶部１０には、回答者から送信されてくる回答結果データのそれぞれに対応した診断結果を表す文章や図などが格納されている。Ｗｅｂページデータ記憶部１１には、バーコード６に書き込まれたＵＲＬに対応するＷｅｂページデータが格納されている。記憶部９には、回答結果データを送ってくる回答者に関するログ等を記憶させてもよい。この記憶部９は、記憶対象となるデータの種類に応じて、ＲＡＭ、ＲＯＭ、あるいはハードディスクなどの外部補助記憶媒体で実現する。管理コンピュータ２とは独立したコンピュータをデータベースサーバとして利用してもよい。
また、記憶部９には、回答者の携帯電話１から送信されてくるデータを入力として、性格診断を行い、診断結果を携帯電話１に送信するという一連の処理、並びに付随する処理を管理コンピュータ２に実行させるためのコンピュータプログラムも記憶されている。
【００３２】
制御部８は、回答者の携帯電話１から送信されてくる回答結果データを受信し、性格診断結果記憶部１０から該当する診断結果表示を取得するとともに、Ｗｅｂページデータ記憶部１１から回答者の指定したＵＲＬに対応するページデータを取得し、回答者の携帯電話１に送信するという一連の処理の実行を制御する。
この制御部８の各種機能は、記憶部９からメモリ上にダウンロードしたコンピュータプログラムの各命令コードを図示しないＣＰＵが実行することで実現される。ただし、その機能の一部をハードウェアで分担してもかまわない。
【００３３】
性格診断の流れについて、以下に説明する。
回答者は、すべての質問カード４について、ＹｅｓまたはＮｏで答え、Ｙｅｓと回答したものをイラスト面を上にして選り分けておく。同一尺度に属する質問、つまり、同じ傾向の質問が連続しないように、全部の質問カード４をシャッフルしてから答えるようにしてもよい。いずれにしろ、答える質問の順序は適当でよい。
【００３４】
尺度別にＹｅｓで回答した質問カード４の枚数をカウントする。ここで、必要となるデータは、枚数の絶対値ではなく、枚数が最も多かった尺度、二番目に多かった尺度、および最も少なかった尺度という３つの情報である。
続いて、最多尺度のサイト誘導カード５を取り出し、二番目に枚数の多い尺度に対応したバーコード６を携帯電話１で読み取る。残りの３尺度のそれぞれに対応したＵＲＬが携帯電話１の画面に表示されるので、最少枚数の尺度に対応したＵＲＬを選択する。携帯電話１は、通信回線Ｎを介して、管理コンピュータ２にアクセスする。管理コンピュータ２の制御部８は、特定されたＵＲＬに基づいて、記憶部９から診断結果表示とＷｅｂページデータを抽出し、通信Ｉ／Ｆ部７、通信回線Ｎを介して、携帯電話１に返送する。回答者は、自分で分析しなくても、携帯電話１の画面に表示された診断結果を読むだけでよい。つまり、回答者は、質問カード４への回答と枚数のカウント、および携帯電話１の操作さえすれば、分析という作業を自らしなくてもすむ。
【００３５】
この実施形態では、Ｙｅｓで回答した質問カード４の枚数によって最多の尺度、二番目に多い尺度、最少の尺度の組合せ、つまり、尺度間のバランスによって性格を診断する。
最多の尺度は５とおりあり、最多の尺度がひとつに決まれば、二番目に多い尺度は４とおりあり、最多と二番目が決まれば、最少の尺度は３とおりあることになる。したがって、性格診断のための分類は、５×４×３＝６０通りある。
【００３６】
３番目、４番目に多い尺度を考慮しなかったのは、性格診断のための分類を多くしすぎても、必ずしも意味ある情報が得られるとはかぎらないので、絞込みを図ったのである。
ただし、２番目に多い尺度を考慮したのは、次の理由による。
人は、ある人の性格を説明するとき、その人の持つ最も強い「自我」（例えば、あの人は、厳しい人とか、あの人は、慎重な人とか、など）を使って説明する。しかし、何らかの理由（例えば、上司から叱責された、逆境にある等）によって、それが使えないとき、人は、二番目に強い自我を使うことが、行動科学の研究で明らかになっている。そのため、二番目に強い自我に対応すると考えられる２番目に多い尺度を無視したのでは、妥当な判断が出来ないからである。
【００３７】
この実施形態では、５つの尺度間で、Ｙｅｓで回答された質問カード４の枚数の多寡、つまり尺度間のバランスの問題が意味を持つ。ところで、Ｙｅｓと回答した質問カードの枚数が最多の尺度が複数ある、といったこともありうる。その場合は、回答者が質問文の内容を考慮して、いずれの尺度を最多尺度にするかを主観で決める等の対応をすればよい。
【００３８】
この実施形態は、性格診断用カードツール３と携帯電話１を持っていれば、いつでもどこでも性格診断を行える。自分の性格を自分で診断するためにこのシステムを利用してもよいが、知人等の他人の性格を診断するために利用することもできる。その場合回答者は、あの他人ならば、この質問にはＹｅｓ（あるいはＮｏ）が該当するであろうと、その他人のことを思い浮かべながら、質問カード４に答えていくわけである。管理コンピュータ２が送信してくる診断結果は、友人や職場の上司等との付き合い方の指針となりうる。
【００３９】
このように、この実施形態のシステムは、使用法も分析も簡便であり、何度でも繰り返すことができ、自分を対象とするだけでなく、知人や友人を対象として繰り返し利用することができる。
【００４０】
〔第２の実施形態〕
図７に、この実施形態のシステムの全体構成を示す。
この第２実施形態では、被験者本人と１人以上の他人のもつ複数の携帯電話２１を想定している点、性格診断用カードツール３は、複数の質問カード４から成ればよく、サイト誘導カード５は必要としないので、携帯電話２１は、バーコード読み取り機能は必須ではない点が第１実施形態と異なる。しかし、第１実施形態と構成の多くは同一であり、同一の構成要素については同一の符号を付し、その詳細な説明は省略する。
【００４１】
被験者本人の携帯電話２１Ａと他人の携帯電話２１Ｂは、通信回線Ｎを介して、管理コンピュータ２２と接続している。図８には、管理コンピュータ２２のブロック図を示す。
管理コンピュータ２２は、ユーザ情報記憶部２３を備える。被験者の被験者ＩＤは、このユーザ情報記憶部２３に記憶される。他に、必要に応じて、被験者のメールアドレスを含む個人情報も記憶する。さらに、被験者本人や他人による回答結果を保存しておいてもよい。
【００４２】
以下、この実施形態における性格診断の流れを説明する。
被験者は自分の携帯電話２１Ａから、管理コンピュータ２２が管理する性格診断のためのサイトにアクセスし、被験者ＩＤを取得するとともに、同時に自分のメールアドレスを登録しておく。ユーザ情報記憶部２３は、被験者ＩＤとメールアドレスとを対応づけて記憶しておく。なお、被験者ＩＤは、請求項２、請求項１１にいう被験者識別情報に相当する。
全部の質問カード４にＹｅｓあるいはＮｏのいずれかで回答する。尺度ごとのＹｅｓで回答した枚数をカウントする。第１の実施形態と同様に、Ｙｅｓ回答のカード枚数に制限を設けるとよい。
【００４３】
携帯電話２１Ａは、管理コンピュータ２２に、尺度ごとのＹｅｓで回答したカード枚数を、被験者ＩＤとともに送信する。管理コンピュータ２２が管理する性格診断のためのサイトにて、送信された枚数に関する情報を分析し、その結果を登録済みのメールアドレス宛に送信する。通常、被験者本人の携帯電話２１Ａで診断結果を受信できる。
【００４４】
他人が、自分のことをどのように見ているのか、知りたいならば、当該他人に、口頭あるいはメール等なんらかの手段によって、自分の被験者ＩＤを教えるとよい。
当該他人に、自分のことを思い浮かべながら、質問カード４にＹｅｓかＮｏで回答してもらい、尺度別のＹｅｓで回答した枚数を、自分の被験者ＩＤとともに、当該他人の携帯電話２１Ｂから、管理コンピュータ２２に送信してもらう。
性格診断のためのサイトは、他人による回答結果に基づき分析し、その結果を、被験者ＩＤと対応づけて登録済みのメールアドレス宛（つまり、通常は被験者本人の携帯電話２１Ａ宛）に返送する。これにより、被験者本人は、他人の回答に基づく性格診断結果を得ることができる。
【００４５】
この場合、単に他人の回答に基づく診断結果を送信し、携帯電話２１Ａの画面に表示させるだけではなく、本人の回答に基づく診断結果もあわせて送信し、対比しうるように表示させることが好ましい。つまり、予め自分の回答により得た診断結果と他人の回答による診断結果との差異が明らかになるわけである。そのためには、ユーザ情報記憶部２３に被験者ＩＤと対応づけて、本人あるいは他人の回答結果、あるいは診断結果を記憶させておくとよい。複数の他人の回答に基づく回答結果が記憶されているならば、尺度別にＹｅｓの枚数の平均値について分析をし、その結果を携帯電話２１Ａの画面に表示させてもよい。例えば、３人の他人が、ある尺度について、それぞれ、５枚、３枚、４枚と回答した場合、その尺度の枚数は４（＝（５＋３＋４）／３）枚であるものとして分析をする。
【００４６】
この実施形態は、他人が自分をどう見ているかを知りたいという誰もがもつ願望を満たすものである。
性格診断用カードツール３と携帯電話２１を持っている知人に、自分の被験者ＩＤを教え、質問への回答を適宜依頼すればよい。
【００４７】
あるいは、自己啓発などのサークルで複数人が集まったときに、同席した仲間を対象として行ってもよい。一種のグループカウンセリングに近いが、回答の分析は、管理コンピュータ２２が行うので、カウンセラーのような指導者の存在は不要である。通常のカウンセリングでは、権威者と被験者との境がありがちで、権威者への信頼感の有無などが微妙な影響をもたらす。しかし、この実施形態では、そのような懸念は不要である。
【００４８】
この実施形態では、尺度別の枚数に基づいて分析を行う。各尺度の枚数は５枚から０枚までの６通りある。尺度は５つあるので、最大で７７７６（＝６の５乗）に場合分けできる。しかし、専門家でない者にとって、このような細分化の意義は乏しい。
【００４９】
そのため、枚数を“多い”、“多くも少なくもない”および“少ない”の３ランクに分けて、それぞれをＡランク、Ｂランク、Ｃランクと呼ぶことにする。例えば、５枚か４枚をＡランク、３枚をＢランク、２枚、１枚あるいは０枚をＣランクとする。各ランクの枚数は、適宜運用状況などに基づき可変にしてもよい。なお、Ａランクとは、Ｙｅｓの枚数が多いことから、当該尺度の意味する自我の傾向を強く持っているので、“強い”あるいは“高い”と言い換えてもよい。同様に、Ｃランクは、“弱い”あるいは“低い”と言い換えてもよい。
【００５０】
このように、各尺度をＡ、Ｂ、Ｃの３ランクに場合分けすると、最大で２４３（＝３の５乗）通りとなる。しかし、これでも非専門家にとっては細分化しすぎると考えられる。
したがって、場合分けを絞り込みたい。絞込みの方法としては、いろいろと考えうるが、以下に示す例もその一つである。
【００５１】
まず、Ａランクに属する尺度の個数にのみ着目する。Ａランクに属する尺度が５つある場合の数は、１とおりである。Ａランクの尺度が４つ有る場合は、５尺度のいずれか１つがＡランク以外なので、場合の数は５とおりである。同様に、Ａランクに属する尺度が３つ、２つ、１つの場合は、それぞれの場合の数は、１０とおり、１０とおり、５とおりである。以上から、Ａランクに属する尺度の個数にのみ着目した場合の数は、３１（＝１＋５＋１０＋１０＋５）通りである。なお、Ａランクに属する尺度がゼロの場合は、考慮しない。
次に、Ｃランクに属する尺度の個数にのみ着目する。Ａランクと同様の考え方により、Ｃランクに属する尺度の個数は、ゼロの場合を無視すると、５個から１個までなので、場合の数の合計は、３１（＝１＋５＋１０＋１０＋５）通りである。
【００５２】
例えば、尺度の順番を考えたときのランクが｛Ａ，Ｂ，Ａ，Ｃ，Ｂ｝であるとする。Ａにのみ着目し、｛Ａ，＊，Ａ，＊，＊｝に対応する解釈と、Ｃにのみ着目し、｛＊、＊、＊、Ｃ，＊｝に対応する解釈を組み合わせ、それぞれの解釈を記述した説明文や図等をマージして携帯電話２１に送信すればよい。なお、＊印に対応する尺度は、考慮しなくてよいことを意味する。
ただし、すべての尺度のランクがＢである場合は、上記の６２通りのいずれからも解釈ができない。そのため、全部がＢである場合は、“万事に平均的な”ときの解釈と説明文等を用意しておく。このようにすれば、すべての組合せに対応できる。
【００５３】
〔第３の実施形態〕
第２の実施形態では、Ｙｅｓで回答した質問カード４の枚数に基づいて性格診断をするものである。Ｙｅｓに対応する質問カード４の質問文を管理コンピュータに送信することは、携帯電話の読み取り機能などを使えばできなくはないが、使い勝手が悪い。そのため、この実施形態では、図９に示すように、性格診断用カードツール３を用いずに、携帯電話２１と管理コンピュータ３２とを通信回線Ｎで接続することによって、性格を診断しようとするものである。
【００５４】
この実施形態の管理コンピュータ３２は、性格診断用カードツール３の質問カード４と同様の情報を格納した記憶手段にアクセス可能であることを必須とする点で、第１の実施形態および第２の実施形態の管理コンピュータと相違する。
その他の構成の多くは第２実施形態と同一であり、同一の構成要素については同一の符号を付し、その詳細な説明は省略する。
【００５５】
図１０に示すように、制御部８は、質問データ記憶部３３を参照し、質問カード４と同等の情報を取得する。質問カード４と同等の情報（以下、「質問データ」）とは、尺度および属する５つの質問文のことである。管理コンピュータ３２は、通信Ｉ／Ｆ部７、通信回線Ｎを介して、質問データを携帯電話２１に送信すると、携帯電話２１のＷｅｂページ表示機能は送信されてきた質問データを表示する。
【００５６】
表示例は、図１１に示すようなものが考えられる。つまり、この実施形態では、質問カードを使ってＹｅｓとＮｏに振り分けるかわりに、携帯電話２１の画面上でＹｅｓに該当する質問文を選択して、この選択情報を管理コンピュータ３２に送信するものである。したがって、ある尺度に属するＹｅｓの質問の個数だけでなく、Ｙｅｓと答えた項目の内容、つまり質問文までもが分析対象となる。
【００５７】
次に性格診断の流れについて、説明する。
被験者は自分の携帯電話２１Ａから、管理コンピュータ３２が管理する性格診断のためのサイトにアクセスし、被験者ＩＤを取得するとともに、同時に自分のメールアドレスを登録しておく。ユーザ情報記憶部２３は、被験者ＩＤとメールアドレスとを対応づけて記憶しておく。以後、携帯電話２１が管理コンピュータ３２にアクセスするときは、他の送信データとともに被験者ＩＤも送信するようにする。
【００５８】
被験者ＩＤの取得とメールアドレスの登録をしておけば、以後、管理コンピュータ３２にアクセスして、質問データの送信を要求すれば、何度でも繰り返し性格診断ができる。携帯電話２１の画面上、Ｙｅｓで回答する質問文を選択し、管理コンピュータ３２に送信する。選択の方法としては、例えば、図１１のラジオボタン３４のクリックなども一つの方法である。
【００５９】
また、Ｙｅｓで回答する質問の個数に制限を設けている場合は、制限範囲内に無い場合、警告を表示し、Ｙｅｓの個数が適正な範囲内に収まるまでは、管理コンピュータ３２にデータを送信しないようにしてもよい。
【００６０】
管理コンピュータ３２は、被験者本人からの回答結果データを受信した時点で、診断結果を携帯電話２１Ａに送信してもよい。しかし、第２実施形態と同様に、この実施形態は、他人による回答結果データが取得できたときに、その特徴が発揮できる。特徴とは、自分についての自己評価と他人の評価とのギャップを知ることができるということである。しかも、この実施形態では、第２実施形態に比べ、ギャップのより詳細な内容を知ることができる。この点につき、以下に説明する。
【００６１】
他人が、自分のことをどのように見ているのか、知りたいならば、当該他人に、口頭あるいはメール等なんらかの手段によって、自分の被験者ＩＤを教える。
当該他人の携帯電話２１Ｂの画面に表示される質問に対し、ＹｅｓかＮｏで回答してもらい、自分の被験者ＩＤとともに、管理コンピュータ３２に送信してもらう。
【００６２】
管理コンピュータ３２は、当該他人の回答結果に基づく診断結果と先に取得していた被験者本人の回答に基づく診断結果とを対比し、その結果を、被験者ＩＤと対応づけて登録済みのメールアドレス宛（つまり、通常は本人の携帯電話２１Ａ宛）に返送する。これにより、被験者本人は、自分の性格についての自分と他人の見方のギャップを知ることができる。
【００６３】
図１２に示す例では、問題文の左側の欄３５には本人がＹｅｓと答えた質問に対し、マークが付されている。問題文の右側の欄３６には、他人がＹｅｓと答えた質問に対し、マークが付されている。尺度「キャラクタ第一型」に属するＹｅｓの枚数は、自他ともに２枚であって、第２の実施形態では、ギャップが検出できない。しかし、この実施形態では、Ｙｅｓで答えた質問文が相違していることがわかる。例えば、自分では、「甘えん坊ではない」と思っていても、当該他人は、「甘えん坊である」と思っていることがわかる。
なお、第２実施形態と同様に、尺度ごとの枚数を考慮した診断結果も管理コンピュータ３２から得られることは言うまでもない。この実施形態では、自分と他人とで回答が異なる質問文に関する情報も併せて得られる点に特徴があるのである。
【００６４】
もし複数の他人の回答に基づいた診断結果が得られるならば、図１３の欄３７のように、複数人についての集計値を表示してもよい。例えば、「甘えん坊かも」という質問に対し、“２（５）”とあるのは、５人のうち２人が「甘えん坊である」と思っていることを示す。“２（５）”のかわりに“０．４”と、平均値を表示してもかまわない。要は、自他のギャップが容易に分かるような表示であればよい。
【００６５】
同じ尺度に属する質問の個数が同じでも、質問の内容の異同まで分析対象になるので、より精緻な性格診断が可能となる。したがって、この実施形態は、他人が自分をどう思っているかを知りたいという願望を、より一層満足させるものである。
【００６６】
前記の第２実施形態および第３実施形態では、被験者ＩＤと被験者のメールアドレスとを管理コンピュータ側に記憶させている。しかし、被験者ＩＤを記憶させておくだけでも、よい。そのためには、被験者本人と他人のいずれもが回答を送信する場合、及び被験者本人が性格診断結果を受信する場合、管理コンピュータの性格診断サイトにアクセスする際に、被験者ＩＤの入力を必須とするような実装が考えられる。あるいは、被験者ＩＤに代えて、被験者の一人一人が専用のＵＲＬを配布されるような実装としてもよい。
【００６７】
なお、前記のように開示された実施の形態はすべての点で例示であって、制限的なものではない。したがって、種々の変形が可能である。しかし、その変形が特許請求の範囲に記載された技術思想に基づくものである限り、その変形は本発明の技術的範囲に含まれる。
【産業上の利用可能性】
【００６８】
本発明のカードツールや性格診断システムは、自己啓発セミナーなどにおいて利用することができる。
【図面の簡単な説明】
【００６９】
【図１】第１の実施形態のシステム構成を示す図である。
【図２】性格診断用カードツールの内容を説明する図である。
【図３】質問カードの質問文記載面を例示する図である。
【図４】質問カードのイラストを記載した裏面を例示する図である。
【図５】サイト誘導カードのバーコードを回答者端末で読み取ることを説明する図である。
【図６】第１の実施形態の管理コンピュータの機能ブロック図である。
【図７】第２の実施形態のシステム構成を示す図である。
【図８】第２の実施形態の管理コンピュータの機能ブロック図である。
【図９】第３の実施形態のシステム構成を示す図である。
【図１０】第３の実施形態の管理コンピュータの機能ブロック図である。
【図１１】第３の実施形態における質問文の画面表示例を示す図である。
【図１２】第３の実施形態における本人および他人の回答結果におけるギャップの表示例を示す図である。
【図１３】第３の実施形態における本人および複数の他人の回答結果におけるギャップの表示例を示す図である。
【符号の説明】
【００７０】
１  回答者端末
２  管理コンピュータ
３  性格診断用カードツール
４  質問カード
５  サイト誘導カード
６  バーコード
２１、２１Ａ，２１Ｂ  回答者端末
２２  管理コンピュータ
３２  管理コンピュータ
【図１】
2007226531.tif 000003
【図２】
2007226531.tif 000004
【図３】
2007226531.tif 000005
【図４】
2007226531.tif 000006
【図５】
2007226531.tif 000007
【図６】
2007226531.tif 000008
【図７】
2007226531.tif 000009
【図８】
2007226531.tif 000010
【図９】
2007226531.tif 000011
【図１０】
2007226531.tif 000012
【図１１】
2007226531.tif 000013
【図１２】
2007226531.tif 000014
【図１３】
2007226531.tif 000015